(57)【要約】【課題】従来の即湯ユニットでは、温水タンクの容量に対し給湯配管内の残水量が極端に少ない場合には、温水タンク内の余剰の湯と集中給湯熱源からの湯とが混合し、即湯ユニットからの出湯温度が上昇した。【解決手段】温水タンク６から湯を供給する採湯口８ａ及び採湯口８ｂを設け、切替弁２０により採湯口８ａ又は採湯口８ｂを選択可能としたことで、給湯配管１２内の残水量が温水タンク６の容量に対し極端に少ない場合でも、即湯ユニットからの出湯温度を上昇させないことを可能とした。【選択図】  図１
2004184015.tif 000002
【特許請求の範囲】
【請求項１】
集中給湯熱源からの給湯配管末端の蛇口の近傍に設置される、温水タンクと、温水タンクの底壁に設けた給水口と、温水タンク内の湯を加熱、保温するための加熱ヒータと、加熱ヒータを制御する温度調節器と、温水タンクの天壁に設けた出湯口と、電気温水器と集中給湯熱源からの給湯配管とを接続する給水継手と、温水タンクに湯を給水する給水管と、電気温水器と蛇口とを接続する出湯継手と、給水管からの給水を出湯口にバイパスさせるバイパス路より成る電気温水器において、温水タンク内の湯を取出す採湯口を複数設け、使用する採湯口を選択可能としたことを特徴とする電気温水器。
【発明の詳細な説明】
【０００１】
【発明の属する技術分野】
本発明は、集中給湯熱源からの給湯配管末端の蛇口の近傍に設置される電気温水器に関するものである。
【０００２】
【従来の技術】
従来、この種の電気温水器は即湯ユニットと呼ぶので以下即湯ユニットと呼ぶ。さて即湯ユニットは、集中給湯熱源から給湯配管によって接続された末端の蛇口までの配管距離が長く、蛇口を開けても湯が到達するまでに待ち時間を生じるような場合に、給湯配管末端の蛇口近傍に設けられるもので、図２に示すような構造が知られている（例えば、特許文献１参照。）。温水タンク６内に供給された湯は温度調節器１９によって制御される加熱ヒータ７によって約６０℃から８０℃程度に加熱、保温される。蛇口１１が開くと給水圧によって給湯配管１２内で冷えた湯が冷水となって即湯ユニット１に流入するとともに、集中給湯熱源（図示せず）で加熱された湯が給湯配管１２に供給され始める。即湯ユニット１に流入した冷水は温水タンク６下部に供給され温水タンク６内の湯を押し上げるとともに、その一部がバイパス路９に流入し、温水タンク６上部から押し出された湯と出湯口８内部で混合し、約４０℃から６０℃で蛇口１１に供給される。温水タンク６内の湯は冷水が供給されることにより温度が低下し、蛇口１１へ供給される湯温も低下するが、やがて集中給湯熱源（図示せず）で加熱された湯が即湯ユニット１に流入し、最終的には、集中給湯熱源（図示せず）で設定された温度の湯が蛇口１１に供給される。
【０００３】
【特許文献１】
特開２００１−１２４４１７号公報（第１図、第３図）
【０００４】
【発明が解決しようとする課題】
従来の即湯ユニット１では、温水タンク６の容量が一定であるため、温水タンク６内の湯を消費してしまうのに最適な給湯配管１２内の残水量は温水タンク６の容量とほぼ同等量の範囲であるが、給湯配管１２内の残水量が例えば温水タンク６の容量の１／２以下程度といったように、温水タンク６の容量に対して給湯配管１２内の残水量が極端に少ない場合には、温水タンク６内の湯が余剰となり、集中給湯熱源（図示せず）から供給された湯と温水タンク６内の余剰の湯とが出湯口８で混合し、即湯ユニット１から蛇口１１に供給する湯の温度が上昇してしまう。本発明は上記課題を解決するためになされたもので、給湯配管１２内の残水量が即湯ユニット１の温水タンク６の容量に対して極端に少ない場合でも、蛇口１１に供給する湯温を上昇させないことを目的としている。
【０００５】
【課題を解決するための手段及びその作用・効果】
上記目的を達成するために請求項１は、集中給湯熱源からの給湯配管末端の蛇口の近傍に設置される、温水タンクと、温水タンクの底壁に設けた給水口と、温水タンク内の湯を加熱、保温するための加熱ヒータと、加熱ヒータを制御する温度調節器と、温水タンクの天壁に設けた出湯口と、即湯ユニットと集中給湯熱源からの給湯配管とを接続する給水継手と、温水タンクに湯を給水する給水管と、即湯ユニットと蛇口とを接続する出湯継手と、給水管からの給水を出湯口にバイパスさせるバイパス路より成る即湯ユニットにおいて、温水タンク内の湯を取出す採湯口を複数設け、使用する採湯管を選択可能としたので、即湯ユニットに接続された給湯配管の残水量に適した量の温水を供給可能な採湯口を選択でき、温水タンク内の余剰の湯が集中給湯熱源から供給される湯と混合することが無く、即湯ユニットからの蛇口に供給する湯の温度を上昇させずにすむ。
【０００６】
【発明の実施の形態】
以下、本発明の実施の形態を、図面により詳細に説明する。
図１は、本発明の一実施例を表わす即湯ユニットの構造を示す。
図１に示すように、集中給湯熱源（図示せず）から供給される湯は、給湯配管１２の途中に配置された給湯止水栓２を経由し、即湯ユニット１の給水継手３に供給され、給水管４、給水口５を通じて温水タンク６に至り、温度調節器１９によって制御される加熱ヒータ７によって加熱され、約６０℃から８０℃に保温された温水タンク６内部の湯を採湯口８ａ又は８ｂを通じ切替弁２０を介して出湯口８に押し出すと共に、その一部がバイパス路９を通じて出湯口８に分配され、温水タンク６から押し出された湯と混合し、出湯継手１０を通じて蛇口１１に供給される。蛇口１１からの出湯初期において、給湯配管１２内の湯は外気によって冷却されており、バイパス路９には給湯配管１２内の低温の冷水が供給され、出湯口８で温水タンク６内の高温の湯と混合して蛇口１１からは適温の湯が供給される。同時に、給湯配管１２内の低温の冷水は、給水口５から温水タンク６内に供給され、温水タンク６内の湯を押し出しながら、温水タンク６内の湯温を低下させる。
給湯配管１２内の低温の冷水が消費され、集中給湯熱源（図示せず）で加熱された湯が即湯ユニット１に供給され始めると、温水タンク６及びバイパス路９共に集中給湯熱源（図示せず）で設定された温度の湯が供給され、出湯口８では温水タンク６内から出湯初期よりも低温になった湯と、バイパス路９から分配された集中給湯熱源（図示せず）で設定された温度の湯が混合し、蛇口１１に供給される。
【０００７】
温水タンク６内の湯が集中給湯熱源（図示せず）で設定された温度の湯に置換されると、蛇口１１には集中給湯熱源（図示せず）で設定された温度の湯が供給される。
この過程において、切替弁２０によって採湯口８ｂ側を選択した場合、採湯口８ｂは温水タンク６の内部に開口しており、採湯口８ｂから給湯口８に供給される温水タンク６内の湯量は、採湯口８ｂより下部の範囲に制限される。よって、給湯配管１２内の低温の冷水の量が温水タンク６の容量に対し、極端に少ない場合においても、その残水量に見合った量の温水タンク６内の湯を供給することが出来るため、即湯ユニット１から蛇口１１に供給される湯の温度が上昇することがない。
【図面の簡単な説明】
【図１】本発明の一実施例を表わす即湯ユニットの構造図
【図２】従来の例の即湯ユニットの構造図
【符号の説明】
１…即湯ユニット
２…給湯止水栓
３…給水継手
４…給水管
５…給水口
６…温水タンク
７…加熱ヒータ
８…出湯口
８ａ…採湯口
８ｂ…採湯口
９…バイパス路
１０…出湯継手
１１…蛇口
１２…給湯配管
１９…温度調節器
２０…切替弁
【図１】
2004184015.tif 000003
【図２】
2004184015.tif 000004